(57)【要約】【課題】  各種の遊園地、レジャー施設又は医療現場等において、使用者の手首に装着し使用者を識別することができる認識部材を具備し、再利用が可能である認識部材付リストバンドを提供する。【解決手段】  認識部材を具備するバックルとベルトから構成され、バックルを構成するロックカバー部は係合爪及び嵌合爪を備え、係合爪から突出される突起部及びフック部を有し、嵌合部を有するベルトの一端部はバックルに取り付けられ、他端部をバックルのベルト挿通孔に通して、バックルの係合部とフック部とを係合させ、嵌合爪をベルトの嵌合部と嵌合させることで環状を形成可能とし、バックルに形成される挿通孔からピンを挿入し、下方に位置する突起部と当接させ、係合爪を撓ませて係合を解除するとともに、ロックカバー部を上方へ可動させて嵌合も解除し、ロックカバー部はバックルに対する抜止手段を備えたことを特徴とする認識部材付リストバンド。【選択図】  図１
2010236097.tif 000002
【特許請求の範囲】
【請求項１】
認識部材を具備するバックルとベルトから構成され、
バックルを構成するロックカバー部は上端部からバックル内部へと立設する係合爪及び嵌合爪を備え、係合爪から突出される突起部及びフック部を有してなり、
長手方向に列設される嵌合部を有するベルトの一端部はバックルに取り付けられ、他端部をバックルのベルト挿通孔に通して、
ロックカバー部はバックル内部を覆設するようバックルに形成される取付孔上に配置され、バックル内部に位置する係合部とロックカバー部のフック部とを係合させ、且つ嵌合爪をベルトの嵌合部と嵌合させることで環状を形成可能とし、
係合解除の際はバックルの上端より形成される挿通孔からピンを挿入し、当該挿通孔の下方に位置する突起部と当接させ、係合爪を撓ませて当該係合を解除するとともに、ロックカバー部を上方へ可動させて当該嵌合も解除し、
ロックカバー部は係合解除の際におけるバックルに対する抜止手段を備えたことを特徴とする認識部材付リストバンド。
【請求項２】
下方に認識部材を設置し、ロックカバー部との係合部が設置される収納空間が内部に形成され、当該空間は上方の取付孔と連通してなるボディ部と、
取付孔と略同形状の上端部から当該空間側へ立設される係合爪及び嵌合爪を備え、係合爪から突出される突起部及びフック部を有するロックカバー部とから構成されるバックルは、
一端部に長手方向に列設される嵌合部を有するベルトが取り付けられるとともに、側面にベルト挿通孔を備えてなり、
ベルトをベルト挿通孔に通し、ロックカバー部のフック部をボディ部の係合部と係合させ、且つ、嵌合爪をベルトの嵌合部と嵌合させることで環状を形成可能とし、
係合解除の際はバックルの上端より形成される挿通孔よりピンを挿入し、当該挿通孔の下方に位置する突起部と当接させ、係合爪を撓ませて当該係合を解除するとともに、ロックカバー部を上方へ可動させて当該嵌合も解除し、
ロックカバー部は係合解除の際におけるバックルに対する抜止手段を備えたことを特徴とする認識部材付リストバンド。
【請求項３】
下方に認識部材を設置し、収納空間とした内部から上方へ向けて段部を有し上方を開口としたベース部と、
段部と略同形状の上端部から当該空間側へ立設される係合部及びベース部の係合孔と係合される係合爪を備えるカバー部と、
カバー部に形成される取付孔と略同形状の上端部から当該空間側へ立設される係合爪及び嵌合爪を備え、係合爪から突出される突起部及びフック部を有し、カバー部における係合部と係合爪にて係合するロックカバー部とから構成されるバックルは、
一端部には長手方向に列設される嵌合部を有するベルトが取り付けられるとともに、側面にベルト挿通孔を備えてなり、
ベルトをベルト挿通孔に通し、ロックカバー部のフック部をカバー部の係合部と係合させ、且つ、嵌合爪をベルトの嵌合部と嵌合させることで環状を形成可能とし、
係合解除の際はバックルの上端より形成される挿通孔よりピンを挿入し、当該挿通孔の下方に位置する突起部と当接させ、係合爪を撓ませて当該係合を解除するとともに、ロックカバー部を上方へ可動させて当該嵌合も解除し、
ロックカバー部は係合解除の際におけるバックルに対する抜止手段を備えたことを特徴とする認識部材付リストバンド。
【請求項４】
ロックカバー部が上方へ可動した際にロックカバー部に形成される当接部が取付孔周縁の下面に当接することを抜止手段とした請求項１乃至請求項３のいずれか１項に記載の認識部材付リストバンド。
【発明の詳細な説明】
【技術分野】
【０００１】
本発明は、各種の遊園地、レジャー施設又は医療現場等において、使用者の手首に装着し使用者を識別することができる認識部材を具備する認識部材付リストバンドであって、再利用が可能である認識部材付リストバンドに関するものである。
【背景技術】
【０００２】
従来より、医療の現場においては、患者の取り違いや注射液、薬品の間違え等を防止する為、ＩＣタグが付されたＩＣタグ付リストバンドを用いて患者を識別する方法が採用されている。当該ＩＣタグ付リストバンドは、バンド本体と、バンド本体の両端部同士を固定して環を形成させると共に、両端部同士の固定の取り外しを不能とするバンド固定具と、ＩＣタグと、バンド固定具に設けられ、ＩＣタグを収納するＩＣタグ収納部とを有する構成である（例えば、特許文献１参照）。
【０００３】
特許文献１に係る発明は、バンド固定具が取付時にバンド本体を取り外し不能に固定するので、不必要となるまでバンド本体を取付状態に保持することができるものである。しかし、患者が退院する等して、バンドが不必要となった際には、バンド本体を切断等して身体から取り外さなければならず、ＩＣタグ収納部に収納されるＩＣタグの再利用は可能であったが、バンド本体は再利用が不可能なものとなっていた。
【０００４】
一方、バックや荷物等を携帯したり、所定位置に固定、或いは携帯や固定位置からの取り外しを容易に行うようにする為に、ベルトの接続や分離を行う際に簡易型のバックルが多く使用される。
【０００５】
当該バックルにおける係合爪の誤開放を防止する為のロックカバーを有するロックカバー付バックルであって、主に、ベルトの一端側に固定された雄バックルと、ベルトの他端側に固定され雄バックルが挿入可能な雌バックルとからなり、雄バックルの挿入時に両者の係合をロックするとともに当該係合の解除操作をユーザから受け付けるロック部を有するバックル本体と、バックル本体の雄バックルまたは雌バックルのいずれか一方に開閉自在に設けられ、開状態の際にはロック部を露出させ、閉状態の際にはロック部を遮蔽するロックカバーとを含み、ロックカバーは、本体部と係合することで閉状態を維持する状態と、当該ロックカバーの閉状態から開状態への移行を許容する状態とに切り替え可能な係合部材を備えたものが公知である（例えば、特許文献２参照）。
【０００６】
特許文献２に係る発明は、ロック部がロックカバーにより完全に覆われるので、誤って触れてしまうことが防止され、誤開放を確実に防止することができるものである。しかし、ロックカバーには、閉状態から開状態に切換可能にする回転板なる係合部材を、別途設ける必要がある。当該回転板は、ロックカバーの表面からフックを有する係合子が挿通するようにして装着されるもので、バックル係合時においては、雄バックルに形成されるロックバーに係合されるが、バックル係合時でない場合には、当該回転板はロックカバーに固着されていない為、ロックカバーより脱離してしまう虞があり、当該回転板を紛失してしまった際には、当該バックルの機能を果たさなくなる虞がある。
【先行技術文献】
【特許文献】
【０００７】
【特許文献１】特許公報  第３６０５３５７号
【特許文献２】特許公報  第３８８０６８９号
【発明の概要】
【発明が解決しようとする課題】
【０００８】
そこで、本発明はこのような問題点を解決するものであって、各種の遊園地、レジャー施設又は医療現場等において、使用者の手首に装着し使用者を識別することができる認識部材を具備する認識部材付リストバンドであって、再利用が可能である認識部材付リストバンドを提供することを課題とする。
【課題を解決するための手段】
【０００９】
前記問題点を解決するために、本発明の請求項１に記載の発明の認識部材付リストバンドは、認識部材を具備するバックルとベルトから構成され、バックルを構成するロックカバー部は上端部からバックル内部へと立設する係合爪及び嵌合爪を備え、係合爪から突出される突起部及びフック部を有してなり、長手方向に列設される嵌合部を有するベルトの一端部はバックルに取り付けられ、他端部をバックルのベルト挿通孔に通して、ロックカバー部はバックル内部を覆設するようバックルに形成される取付孔上に配置され、バックル内部に位置する係合部とロックカバー部のフック部とを係合させ、且つ嵌合爪をベルトの嵌合部と嵌合させることで環状を形成可能とし、係合解除の際はバックルの上端より形成される挿通孔からピンを挿入し、当該挿通孔の下方に位置する突起部と当接させ、係合爪を撓ませて当該係合を解除するとともに、ロックカバー部を上方へ可動させて当該嵌合も解除し、ロックカバー部は係合解除の際におけるバックルに対する抜止手段を備えたことを特徴とするものである。
【００１０】
また、本発明の請求項２に記載の発明の認識部材付リストバンドは、下方に認識部材を設置し、ロックカバー部との係合部が設置される収納空間が内部に形成され、当該空間は上方の取付孔と連通してなるボディ部と、取付孔と略同形状の上端部から当該空間側へ立設される係合爪及び嵌合爪を備え、係合爪から突出される突起部及びフック部を有するロックカバー部とから構成されるバックルは、一端部に長手方向に列設される嵌合部を有するベルトが取り付けられるとともに、側面にベルト挿通孔を備えてなり、ベルトをベルト挿通孔に通し、ロックカバー部のフック部をボディ部の係合部と係合させ、且つ、嵌合爪をベルトの嵌合部と嵌合させることで環状を形成可能とし、係合解除の際はバックルの上端より形成される挿通孔よりピンを挿入し、当該挿通孔の下方に位置する突起部と当接させ、係合爪を撓ませて当該係合を解除するとともに、ロックカバー部を上方へ可動させて当該嵌合も解除し、ロックカバー部は係合解除の際におけるバックルに対する抜止手段を備えたことを特徴とするものである。
【００１１】
また、本発明の請求項３に記載の発明の認識部材付リストバンドは、下方に認識部材を設置し、収納空間とした内部から上方へ向けて段部を有し上方を開口としたベース部と、段部と略同形状の上端部から当該空間側へ立設される係合部及びベース部の係合孔と係合される係合爪を備えるカバー部と、カバー部に形成される取付孔と略同形状の上端部から当該空間側へ立設される係合爪及び嵌合爪を備え、係合爪から突出される突起部及びフック部を有し、カバー部における係合部と係合爪にて係合するロックカバー部とから構成されるバックルは、一端部には長手方向に列設される嵌合部を有するベルトが取り付けられるとともに、側面にベルト挿通孔を備えてなり、ベルトをベルト挿通孔に通し、ロックカバー部のフック部をカバー部の係合部と係合させ、且つ、嵌合爪をベルトの嵌合部と嵌合させることで環状を形成可能とし、係合解除の際はバックルの上端より形成される挿通孔よりピンを挿入し、当該挿通孔の下方に位置する突起部と当接させ、係合爪を撓ませて当該係合を解除するとともに、ロックカバー部を上方へ可動させて当該嵌合も解除し、ロックカバー部は係合解除の際におけるバックルに対する抜止手段を備えたことを特徴とするものである。
【００１２】
また、本発明の請求項４に記載の発明の認識部材付リストバンドは、請求項１乃至請求項３のいずれか１項に記載の認識部材付リストバンドにおいて、ロックカバー部が上方へ可動した際にロックカバー部に形成される当接部が取付孔周縁の下面に当接することを抜止手段としたものである。
【発明の効果】
【００１３】
本発明の請求項１乃至請求項４に記載の認識部材付リストバンドでは、バックルにベルトを挿通させた状態でロックカバー部をバックル内部の係合部に係合させ、嵌合爪をベルトの嵌合部と嵌合させることで、ベルトはロックカバー部によって嵌合された状態となる。これにより、ロックカバー部における係合を解除しない限り、ベルトをバックルに対して自在に可動させることができないので、認識部材付リストバンドの不用意な脱着を防止することができる。
従って、各種の遊園地、レジャー施設又は医療現場等において、使用者の手首に認識部材付リストバンドを装着することで、認識部材付リストバンドの紛失等が生じることがなく、確実に使用者を識別することができる。
【００１４】
また、使用者以外の者によって、認識部材付リストバンドの挿通孔にピンを挿入して、係合爪を押圧して撓ませることで、フック部を係合部から離反させて、当該係合を解除するとともに、ロックカバー部を上方へ可動させて当該嵌合も解除することができるので、ベルトをバックルに対して自在に可動させることができる。これにより、認識部材付リストバンドの脱着を可能とすることができる。
従って、認識部材付リストバンドにおけるベルトを切断することなく、脱着することができ、再利用することが可能となる。
更に、認識部材付リストバンドの不使用時においても、ロックカバー部をバックルに係合させておくか、或いはバックルに係合されていなくても、抜止手段により当該ロックカバー部を紛失する虞を防止することができる。
【図面の簡単な説明】
【００１５】
【図１】本発明の実施例における認識部材付リストバンドの正面図である。
【図２】本発明の実施例における認識部材付リストバンドを構成するベース部の（ａ）拡大正面図、（ｂ）拡大Ａ―Ａ断面図である。
【図３】本発明の実施例における認識部材付リストバンドを構成するベース部の拡大Ｂ―Ｂ断面図である。
【図４】本発明の実施例における認識部材付リストバンドを構成するカバー部の（ａ）拡大正面図、（ｂ）一部断面拡大底面図である。
【図５】本発明の実施例における認識部材付リストバンドを構成するカバー部の拡大Ｃ―Ｃ断面図である。
【図６】本発明の実施例における認識部材付リストバンドを構成するロックカバー部の（ａ）拡大正面図、（ｂ）一部断面拡大底面図である。
【図７】本発明の実施例における認識部材付リストバンドを構成するロックカバー部の図６（ａ）の一部断面拡大右側面図である。
【図８】本発明の実施例における認識部材付リストバンドを構成するベース部とカバー部を係合させた（ａ）拡大正面断面図、（ｂ）拡大左側面断面図である。
【図９】本発明の実施例における認識部材付リストバンドを構成するバックルの（ａ）拡大正面断面図、（ｂ）拡大左側面断面図である。
【図１０】本発明の実施例における認識部材付リストバンドのロックカバーの係合を解除する前の拡大正面断面図である。
【図１１】本発明の実施例における認識部材付リストバンドのロックカバーの係合を解除する際の拡大正面断面図である。
【図１２】本発明の実施例における認識部材付リストバンドのロックカバーの係合を解除する際の拡大左側面断面図である。
【図１３】本発明の実施例における認識部材付リストバンドのロックカバーの係合を解除した後の拡大正面断面図である。
【図１４】本発明の実施例における認識部材付リストバンドのロックカバーの係合を解除した後の拡大左側面断面図である。
【発明を実施するための形態】
【００１６】
以下、本発明の実施の形態における認識部材付リストバンドを図面に基づいて説明する。
【実施例】
【００１７】
本発明に係る認識部材付リストバンド１は、図１に示すように、バックル２、ベルト３、留め部４、認識部材９及びバックル２とベルト３を連結する連結ピン（図示しない）とから構成されており、当該バックル２は、ベース部５、カバー部６及びロックカバー部７とから構成されている。
【００１８】
バックル２を構成するベース部５は図２及び図３に示すように、材質をポリエチレン、ウレタン等の合成樹脂製として、例えば外形を略円形状に形成される。当該ベース部５は上方を開口にした形状からなり、下端部の略中央部にはＩＣタグ、ＩＣカード等の認識部材９を配置する為のＩＣ取付部５ａが設けられ、上端部にはカバー部６を取り付ける為の略円形状の段部５ｂが設けられている。
【００１９】
当該上端部と下端部との間隙は、カバー部６及びロックカバー部７を収納する収納空間５ｅとされる。また、ＩＣ取付部５ａより外側に位置する下端部には、係合孔５ｃ及び係合爪５ｄが四方に設けられており、カバー部６との係合を可能とする。
【００２０】
更に、ベース部５における側面の一端部にはベルト取付部５ｆが設けられており、当該ベルト取付部５ｆ側及び対向する箇所にはベルト挿通孔５ｇが形成されている。
【００２１】
バックル２を構成するカバー部６は図４及び図５に示すように、ベース部５と同様の材質からなり、ベース部５における段部５ｂと略同形状の外形に形成される。段部５ｂと略同形状とされる上端部６ａには、ロックカバー部７を取り付ける為の取付孔６ｂが形成され、当該上端部６ａから下方へ向けて突出される脚部６ｃ、係合爪６ｅ及び補強部６ｇを有してなる。
【００２２】
ロックカバー部７との係合部とされる脚部６ｃは上端部６ａの略中央部を介して対向する位置に設けられ、略中央部側には夫々貫通孔６ｄが設けられている。係合爪６ｅはベース部５における係合孔５ｃと合致し得る位置に設けられ、先端部には係合爪５ｄと係合し得るフック部６ｆが形成されている。補強部６ｇは、例えば脚部６ｃと直交する位置に設けられており、カバー部６の強度を向上させる為に形成される。また、図４（ｂ）に示すように、取付孔６ｂの周縁部は当接部６ｈとされる。
【００２３】
バックル２を構成するロックカバー部７は図６及び図７に示すように、ベース部５及びカバー部６と同様の材質からなり、カバー部６における取付孔６ｂと略同形状の外形に形成される。取付孔６ｂと略同形状とされる上端部７ａには、カバー部６における貫通孔６ｄと面する側面には略同様の貫通孔７ｃが形成されており、下方へ向けて突出される係合爪７ｂ、脚部７ｆ及び嵌合爪７ｈを有してなる。当該貫通孔６ｄ及び７ｃは、図１に示すように、リリース部材８におけるピン８ａを挿通する挿通孔２ａを構成する。
【００２４】
係合爪７ｂは、カバー部６における脚部６ｃと略同様の位置に設けられている。係合爪７ｂの外側方向であって、貫通孔７ｃの下方位置には貫通孔７ｃと略同様の外形を有する突起部７ｄが突出して形成される。また、突起部７ｄの更に下方位置には、ロックカバー部７がカバー部６と係合する為のフック部７ｅが形成されており、当該フック部７ｅはカバー部６における脚部６ｃの下端部と係合し得る。
【００２５】
更に、上端部７ａの周縁部には、脚部７ｆが設けられ、脚部７ｆから外側方向へ突出するようにして当接部７ｇが設けられている。当該当接部７ｇがカバー部６における取付孔６ｂの周縁である当接部６ｈと当接することで、ロックカバー部７の脱着を防止する。また、嵌合爪７ｈは上端部７ａにおける略中央部に形成され、ベルト３における嵌合部３ａとの嵌合を可能とする。
【００２６】
これらのベース部５、カバー部６及びロックカバー部７から構成されるバックル２は、図８及び図９のようにして組み立てられる。まず、図８に示すように、ベース部５にカバー部６を係合させる。具体的には、段部５ｂと上端部６ａが合致するように配置させた状態で収納空間５ｅに脚部６ｃ及び補強部６ｇを収納させ、係合孔５ｃに係合爪６ｅを挿通させ、係合爪５ｄ及びフック部６ｆにて両者を係合させる。
【００２７】
その後、図９に示すようにして、カバー部６にロックカバー部７を係合させる。具体的には、取付孔６ｂと上端部７ａが合致するように配置させた状態で、収納空間５ｅに係合爪７ｂ、脚部７ｆ及び嵌合爪７ｈを収納させ、係合部となる脚部６ｃの下端部及びフック部７ｅにて両者を係合させる。このとき、同図（ａ）に示すようにして突起部７ｄは挿通孔２ａの内部の下方に位置し、同図（ｂ）に示すようにして当接部７ｇは取付孔６ｂの周縁である当接部６ｈの下方に位置する。
【００２８】
ベルト３は、図１に示すようにして、認識部材付リストバンド１のバンド部分に該当し、使用者の手首に巻かれる部分で、ポリエチレン等の合成樹脂から形成される。当該一端部における幅方向の略中央部には、手首に装着後の長さ変更を可能とする嵌合部３ａが長手方向に列設されている。当該嵌合部３ａは、貫通孔であってもよいし、凹部としてもよい。また、ベルト３の同他端部における幅方向には、連結ピンを挿通する為の貫通孔（図示しない）が設けられている。更に、長手方向の略中央部には抜止部３ｂが幅方向に突出して形成されており、留め具４の抜け止めを防止する。
【００２９】
留め具４は、バックル２と抜止部３ｂとの間のベルト３に設置され、使用者の手首に装着されたベルト３の余分をベルト３と一体にする為に使用される。認識部材９とは、各種の情報を組み込んだＩＣタグ、各種の遊園地、レジャー施設又は医療現場等といった使用者を特定して認識し得る部材を指すものである。
【００３０】
当該部材から構成される認識部材付リストバンド１は、ＩＣ取付部５ａに認識部材９が取り付けられた状態で、ベルト３の長手方向に列設される嵌合部３ａを有するベルト３の端部をベース部５におけるベルト挿通孔５ｇに通し、ロックカバー部７のフック部７ｅを係合部となる脚部６ｃと係合させ、且つ、ロックカバー部７における嵌合爪７ｈを嵌合部３ａに嵌合させることで環状を形成可能とする。
【００３１】
これによって、図１０に示すように、ベルト３はロックカバー部７によって嵌合された状態となり、ロックカバー部７における係合を解除しない限り、ベルト３をバックル２に対して自在に可動させることができないので、認識部材付リストバンド１を脱着することが不可能となる。
【００３２】
当該係合の解除にあたっては、バックル２における挿通孔２ａと略同様の外形のピン８ａを有するリリース部材８が必要とされる。図１０に示すように、ピン８ａを挿通孔２ａの上方に配置させ、図１１及び図１２に示すように挿入させる。当該ピン８ａの下端部がロックカバー部７の突起部７ｄに当接することにより、係合爪７ｂ全体を内側方向へ押圧して撓ませることで、脚部６ｃの下端部及びフック部７ｅの係合が解除される。
【００３３】
これにより、図１３及び図１４に示すように、合成樹脂の弾性力によりロックカバー部７は上方へと可動し、ベルト３における嵌合部３ａ及びロックカバー部７における嵌合爪７ｈの嵌合が解除されることから、ベルト３をバックル２に対して自在に可動することができるようになる。
【００３４】
また、図１４に示すように、ロックカバー部７の係合が解除された状態においても、抜止手段となるロックカバー部７の当接部７ｇがカバー部６の当接部６ｈと当接することから、ロックカバー部７が脱着する虞がない。
【００３５】
以上、説明した本発明に係る認識部材付リストバンド１によれば、バックル２にベルト３を挿通させた状態でロックカバー部７をカバー部６に係合させることで、ベルト３はロックカバー部７によって嵌合された状態となる。当該状態に置いて、ロックカバー部７における係合を解除しない限り、ベルト３をバックル２に対して自在に可動させることができないので、認識部材付リストバンド１を脱着することが不可能となる。
これによって、各種の遊園地、レジャー施設又は医療現場等において、使用者の手首に認識部材付リストバンド１を装着することで、認識部材付リストバンド１の紛失等が生じることがなく、確実に使用者を識別することができる。
【００３６】
また、使用者以外の者によって、認識部材付リストバンド１の挿通孔２ａにリリース部材８のピン８ａを挿入して、係合爪７ｂを押圧して撓ませ、フック部７ｅを脚部６ｃの下端部から離反させて、当該係合を解除させることができるので、ベルト３をバックル２に対して自在に可動することができるようになり、認識部材付リストバンド１を脱着することが可能となる。
これによって、認識部材付リストバンド１におけるベルト３を切断することなく、脱着することができ、再利用することが可能となる。
【００３７】
更に、認識部材付リストバンド１の不使用時においても、ロックカバー部７をカバー部６に係合させておくか、或いはカバー部６に係合されていなくても、ロックカバー部７の当接部７ｇがカバー部６の当接部６ｈと当接することから、当該ロックカバー部７を紛失する虞を防止することができる。
【００３８】
また、上記実施例においては、認識部材９を容易に設置し得るべく、ベース部５に認識部材９を設置させた後、カバー部６を係合させる構造としたが、認識部材９を確実に設置できる構造であれば、認識部材付リストバンド１を構成するバックル２は、ベース部５及びカバー部６を一体としたボディ部とロックカバー部７の２部材から構成されるものであってもよいものである。
【００３９】
更に、リリース部材８におけるピン８ａを挿通する挿通孔２ａはカバー部６における貫通孔６ｄ及びロックカバー部７における貫通孔７ｃによって構成するものとしたが、ロックカバー部７における突起部７ｄが当該挿通孔２ａの下方に位置すればよい趣旨である。すなわち、貫通孔６ｄ又は貫通孔７ｃのいずれか一方をもって挿通孔２ａとすることもできる。
【符号の説明】
【００４０】
１      認識部材付リストバンド
２      バックル
２ａ    挿通孔
３      ベルト
３ａ    嵌合部
３ｂ    抜止部
４      留め部
５      ベース部
５ａ    ＩＣ取付部
５ｂ    段部
５ｃ    係合孔
５ｄ    係合爪
５ｅ    収納空間
５ｆ    ベルト取付部
５ｇ    ベルト挿通孔
６      カバー部
６ａ    上端部
６ｂ    取付孔
６ｃ    脚部
６ｄ    貫通孔
６ｅ    係合爪
６ｆ    フック部
６ｇ    補強部
６ｈ    当接部
７      ロックカバー部
７ａ    上端部
７ｂ    係合爪
７ｃ    貫通孔
７ｄ    突起部
７ｅ    フック部
７ｆ    脚部
７ｇ    当接部
７ｈ    嵌合爪
８      リリース部材
８ａ    ピン
９      認識部材
【図１】
2010236097.tif 000003
【図２】
2010236097.tif 000004
【図３】
2010236097.tif 000005
【図４】
2010236097.tif 000006
【図５】
2010236097.tif 000007
【図６】
2010236097.tif 000008
【図７】
2010236097.tif 000009
【図８】
2010236097.tif 000010
【図９】
2010236097.tif 000011
【図１０】
2010236097.tif 000012
【図１１】
2010236097.tif 000013
【図１２】
2010236097.tif 000014
【図１３】
2010236097.tif 000015
【図１４】
2010236097.tif 000016